(57)【要約】【課題】コイルスプリングの動きの悪さや座屈を解消し、シャフトの破損を防止する。【解決手段】メモリーカード読み取り装置のような記録再生装置に取り付けられるメモリーカードコネクタ１である。ケーシング内に、スライダ部材８とこのスライダ部材を付勢するコイルスプリング９とを有するスライド機構が設けらる。コイルスプリング９には、ケーシング部とは別体に形成されたシャフト１１が挿入される。シャフト１１は例えば金属製のシャフトである。シャフト１１には、他の部分よりも大径な安定つば部１１ａが形成されており、この安定つば部１１ａがケーシング部に係止される。【選択図】　図４
2004119182.tif 000002
【特許請求の範囲】
【請求項１】
記録再生装置に取り付けられ、メモリーカードを挿入するためのスロットを有し挿入されたメモリーカードを収容するケーシング部と、挿入されたメモリーカードの端子部と接続される端子部を有するメモリーカードコネクタにおいて、
上記ケーシング部内には、スライダ部材と、このスライダ部材を付勢するコイルスプリングとを有するスライド機構が設けられ、
上記コイルスプリングには、ケーシング部とは別体に形成されたシャフトが挿入されていることを特徴とするメモリーカードコネクタ。
【請求項２】
上記シャフトには他の部分よりも大径な安定つば部が形成されており、この安定つば部がケーシング部に係止されていることを特徴とする請求項１記載のメモリーカードコネクタ。
【請求項３】
上記シャフトは金属製のシャフトであることを特徴とする請求項１記載のメモリーカードコネクタ。
【請求項４】
上記スライド機構において、上記スライダ部材はメモリーカードの挿入、排出に伴ってスライドすることを特徴とする請求項１記載のメモリーカードコネクタ。
【発明の詳細な説明】
【０００１】
【発明の属する技術分野】
本発明は、メモリーカードを記録再生装置に装着するためのメモリーカードコネクタに関するものであり、特に、スライド機構の改良に関するものである。
【０００２】
【従来の技術】
内部に情報を記録する半導体素子を有するメモリーカードは、小型、軽量であり、取り扱いが容易であることから、リムーバブルな記録素子として広く用いられている。メモリーカード用の記録再生装置は、メモリーカードを装着し、さらには装着されたメモリーカードを排出するための機構を有し、装着されたメモリーカードにアクセスして情報の記録を行ったり、メモリーカードに記録された情報の読み取りを行う。
【０００３】
メモリーカードを装着し、装着されたメモリーカードを排出するための機構としては、スライダを有するスライド機構が設けられており、メモリーカードコネクタに設けられたコネクタ部を介してメモリーカードと記録再生装置の間でデータの授受が行われるとともに、上記スライダの動作によりメモリーカードの装着位置での固定や円滑な排出動作が行われる。
【０００４】
【発明が解決しようとする課題】
ところで、上記スライド機構においては、スライダ部材を押圧付勢するためのコイルスプリングを設ける必要があり、その位置決め手段として、成形時にインシュレータ側に一体的に作られたシャフト状の突起を採用している。図６に示す例では、ケーシング部１０１の成形時にシャフト状突起１０２を一体形成し、これをコイルスプリング１０３に挿入している。
【０００５】
しかしながら、この場合、成形による造形のため、シャフト状突起１０２の長さには自ずと限界があり、あまり長くすることは成形上難しい。このため、コイルスプリング１０３の動きが悪くなったり、いわゆる座屈が生ずる可能性がある等の問題がある。さらに、上記シャフト状突起１０２は、成形樹脂からなる極めて細い部材であるため、簡単に根元から折れてしまうという問題もある。
【０００６】
本発明は、このような従来のものの有する欠点を解消するために提案されたものであり、上記コイルスプリングの動きの悪さや座屈を解消することができ、円滑な動作を実現することが可能なメモリーカードコネクタを提供することを目的とする。さらに、本発明は、破損による歩留まり低下のないメモリーカードコネクタを提供することを目的とする。
【０００７】
【課題を解決するための手段】
上述の目的を達成するために、本発明のメモリーカードコネクタは、記録再生装置に取り付けられ、メモリーカードを挿入するためのスロットを有し挿入されたメモリーカードを収容するケーシング部と、挿入されたメモリーカードの端子部と接続される端子部を有するメモリーカードコネクタにおいて、上記ケーシング内には、スライダ部材と、このスライダ部材を付勢するコイルスプリングとを有するスライド機構が設けられ、上記コイルスプリングには、ケーシング部とは別体に形成されたシャフトが挿入されていることを特徴とするものである。
【０００８】
本発明のメモリーカードコネクタにおいては、スライダ部材を付勢するコイルスプリングに挿入されるシャフトを、ケーシング部に一体形成するのではなく、別体として形成し、これを取り付けるようにしている。したがって、シャフトの長さは自由に設定することができ、十分に長くすることによってコイルスプリングの円滑な動きを実現することができ、またコイルスプリングが座屈することもなくなる。さらに、この別体として形成されたシャフトを、例えば金属製とすることにより、破損の虞れもない。
【０００９】
【発明の実施の形態】
以下、本発明を適用したメモリーカードコネクタについて、図面を参照しながら詳細に説明する。
【００１０】
図１は、本発明を適用したメモリーカードコネクタの一例を示す斜視図である。図２は、上記メモリーカードコネクタ１を分解した状態を示すものであり、図２（ａ）はプレート２を示す平面図、図２（ｂ）はハウジング３を示す平面図である。
【００１１】
本例のメモリーカードコネクタ１は、金属製のプレート２とプラスチック製のハウジング３とを組み合わせることにより構成されるもので、これらを組み合わせることで筐体状のケーシング部が形成されている。
【００１２】
金属製のプレート２は、基本的には窓部２ｂを有する上面板２ａと、その両側に形成された側壁部２ｃとからなり、これらが金属板を折り曲げ加工することにより一体的に形成されている。さらに、上記側壁部２ｃの所定の箇所には、当該側壁部２ｃに対して直交する方向に折り曲げられ、外方に向かって突出する係止片４が形成されており、これを記録再生装置の機器本体内に係止することで、記録再生装置に取り付けるようになっている。
【００１３】
一方、ハウジング３は、プラスチックの成型品よりなり、プレート２と同様、窓部３ｂを有する底面板３ａと、側壁部３ｃとを有する。そして、この側壁部３ｃが上記プレート２の側壁部２ｃの内側に入り込むようにプレート２とハウジング３とを組み合わせることで、メモリーカードを収容するケーシング部が構成される。ケーシング部は、開口部であるスロット５を有し、メモリーカード６は、図１に示すように、このスロット５からメモリーカードコネクタ１に挿入され、装着される。
【００１４】
上記メモリーカードコネクタ１にはコネクタ部７が設けられており、装着されたメモリーカード６においては、このコネクタ部７を介して記録再生装置との間でデータのやり取りが行われる。上記コネクタ部７は、図２（ｂ）に示すように、プラスチック製のハウジング３に複数の端子ピン７ａを配列することにより構成されており、これら端子ピン７ａがメモリーカード６の端子部と接触して電気的な導通が図られる。また、各端子ピン７ａはハウジング３の外部に突出しており、この突出部が記録再生装置に設けられたコネクタ部に接続され、記録再生装置側との接続が図られる。
【００１５】
また、上記メモリーカードコネクタ１には、メモリーカード６の収容及び排出を補助するためのスライダ機構が設けられており、メモリーカード６の円滑な装着動作、排出動作を実現している。
【００１６】
ここで、上記スライダ機構は、図２（ａ）に示すように、プレート２に設けられたスライダ部材８、及びこのスライダ部材８を矢印Ａ方向に付勢するコイルスプリング９と、ハウジング３に設けられた係止ピン１０とから構成され、上記スライダ部材８に形成されたハートカムに上記係止ピン１０を係止することで、スライダ部材８のメモリーカード装着位置での固定及び解除が行われる。
【００１７】
上記スライダ部材８は、その一端部８ａに前述のハートカムが設けられるとともに、メモリーカード６の係止凹部に係合してこれを位置決め固定する金属製の位置決め固定ピン８ｂが植立されている。また、スライダ部材８の上記一端部８ａの後方部分には、断面円弧状の溝が形成されており、ここに上記コイルスプリング９が挿入されている。コイルスプリング９の基端側には金属製のシャフト１１が挿入されており、これにより上記コイルスプリング９が位置決めされるとともに、座屈が防止される。
【００１８】
図３は、シャフト１１を拡大して示すものである。シャフト１１は、金属製の細い棒状体であり、他の部材とは別のパーツとして形成されている。シャフト１１の基端部側には、他の部分よりも大径を有する安定つば部１１ａが膨出形成されており、図４に示すように、この安定つば部１１ａがケーシング部、例えばプレート２に設けられた切り込み１２に係止されている。
【００１９】
上記シャフト１１は、別パーツとして形成されるため、その長さは任意に設定することができる。そして、シャフト１１の延長により、スライダ部材８の滑動時のバネ収縮が安定し、動きの滑らかさが実現され、さらには座屈防止が実現される。また、シャフト１１の別パーツ化と安定つば部１１ａの採用により、組み込み時、使用時のシャフト折れも無くなる。
【００２０】
組み込み後には、図５に示すように、コイルスプリング９がケーシング部側（プレート２側）に安定つば部１１ａを押しつけることにより、シャフト１１が自動的に直立し安定する。
【００２１】
さらに、上記プレート２には、内側に折り曲げ形成されたガイド板２ｄが設けられており、上記スライド部材８はこのガイド板２ｄに規制されてスライドするような構成とされている。同時に、図１に示すように、スライド部材８のプレート２と対向する面に凸部８ｃが設けられるとともに、プレート２の上面板２ａに形成されたスリット２ｅにこの凸部８ｃが挿入され、これによってもスライド部材８のスライドがガイドされている。なお、上記ガイド板２ｄの前方部分２ｆは高さが高くなっており、これがスライド部材８に当接してスライド範囲を規制するストッパとしての役割を果たしている。
【００２２】
メモリーカード６を挿入した際には、メモリーカード６は上記スライダ部材８とともにコイルスプリング９に抗して押し込まれる。所定の位置まで押し込まれると、スライダ部材８はハートカム機構により位置決め固定され、それと同時にメモリカード６も位置決め固定ピン８ｂによって位置決め固定される。このとき、メモリーカード６の端子部は、上記ハウジング３側のコネクタ部７の各接続ピン７ａと接続される。メモリーカード６を取り出す際には、一度メモリーカード６を少し押し込む。すると、上記ハートカム機構による位置決め固定状態が解除され、スライダ部材８はコイルスプリング９によって押圧され、矢印Ｂ方向にスライドする。これに伴ってメモリーカード６も排出され、メモリーカードコネクター１のケーシング部から突出する。このメモリーカード６の突出部分を指でつまんで取り出せばよい。
【００２３】
【発明の効果】
以上の説明からも明らかなように、本発明においては、コイルスプリングに挿入されるシャフトを別体として形成しているので、その長さを自由に設定することができ、バネ収縮の安定化により動きの滑らかさを実現し、座屈を防止することができる。また、組み込み時、使用時にシャフトを破損することもない。
【図面の簡単な説明】
【図１】本発明を適用したメモリーカードコネクタの一例を示す概略斜視図である。
【図２】メモリーカードコネクタを分解した状態を示すものであり、（ａ）はプレートの概略平面図、（ｂ）はハウジングの概略平面図である。
【図３】シャフトの一例を示す斜視図である。
【図４】シャフトのプレートへの取り付け状態を示す要部概略平面図である。
【図５】コイルスプリングにシャフトを挿入した状態を示す要部概略平面図である。
【図６】ケーシング部にシャフトを一体形成した例を示す要部概略平面図である。
【符号の説明】
１　メモリーカードコネクタ、２　プレート、２ａ　上面板、２ｃ　側壁部、３ハウジング、３ａ　底面板、３ｃ　側壁部、５　スロット、６　メモリーカード、７　コネクタ部、８　スライダ部材、９　コイルスプリング、１１　シャフト、１１ａ　安定つば部
【図１】
2004119182.tif 000003
【図２】
2004119182.tif 000004
【図３】
2004119182.tif 000005
【図４】
2004119182.tif 000006
【図５】
2004119182.tif 000007
【図６】
2004119182.tif 000008